(57)【要約】【課題】棒刃の刃先に円味を与えることなく、良好な切れ味を保ちながらも髪が引っかかることのない梳き鋏を提供する。【解決手段】棒刃を備える棒刃体と櫛刃を備える櫛刃体とが枢着された梳き鋏において、棒刃体に対して取り付けられるカバー部材を備える。カバー部材は、棒刃体に対して取り付けられた状態において、その棒刃の刃端部に沿った端部が、棒刃の刃端部よりも外側にあるようにされている。これにより、切れ味を保ちつつ、梳き鋏を閉じた状態で切れずに残った髪を抜く際に、髪が引っかからないようにする。【選択図】図１
2014217722.tif 000002
【特許請求の範囲】
【請求項１】
棒刃を備える棒刃体と櫛刃を備える櫛刃体とが枢着された梳き鋏であって、
前記棒刃体に対して取り付けられるカバー部材を備え、
前記棒刃体に対して取り付けられたカバー部材の前記棒刃の刃端部に沿った端部は、前記刃端部よりも外側にある
ことを特徴とする梳き鋏。
【請求項２】
前記カバー部材は、
複数のネジによって前記棒刃に固定されるように取り付けられることを特徴とする請求項１に記載の梳き鋏。
【請求項３】
前記カバー部材は、
前記複数のネジによって前記棒刃に固定されていない状態において、ネジの貫通孔の部分が棒刃の刃表から離れるように湾曲していることを特徴とする請求項２に記載の梳き鋏。
【発明の詳細な説明】
【技術分野】
【０００１】  本発明は、梳き鋏に関する。
【背景技術】
【０００２】  先に本出願人は、特許文献１のように、棒刃に円味を与えるように加工することで、髪を梳き切った後に櫛刃の間に溜まった髪を引き抜く際に、棒刃に髪が引っかからないようにした梳き鋏を出願している。また、本出願人は、特許文献２のように刃に円味を与える加工について改良した発明を出願している。
【先行技術文献】
【特許文献】
【０００３】
【特許文献１】  特開２００３−５３０６１号公報
【特許文献２】  特開２００８−２７２１４１号公報
【発明の概要】
【発明が解決しようとする課題】
【０００４】  例えば、上記のように棒刃に円味を与えた梳き鋏は、良好な切れ味を保ちながらも、髪を抜く際に引っかからないという利点を持ち合わせている。しかし、良好な切れ味を保ちつつ髪が引っかからないように棒刃の刃先に円味を与えるには非常に高い技術が必要であり、例えば製造や修理などのメンテナンスで相当の手間がかかっている。【０００５】  そこで、本発明は、棒刃の刃先に円味を与えることなく、良好な切れ味を保ちながらも髪が引っかかることのない梳き鋏を提供することを目的とする。
【課題を解決するための手段】
【０００６】  上述した課題を解決するために、本発明の梳き鋏は、棒刃を備える棒刃体と櫛刃を備える櫛刃体とが枢着された梳き鋏であって、前記棒刃体に対して取り付けられるカバー部材を備え、前記棒刃体に対して取り付けられたカバー部材の前記棒刃の刃端部に沿った端部は、前記刃端部よりも外側にあるようにした。
【発明の効果】
【０００７】  以上説明したように、本発明によれば、棒刃に円味を与えることなく、良好な切れ味を保ちながらも髪が引っかかることのない梳き鋏を提供することが可能になるという効果が得られる。
【図面の簡単な説明】
【０００８】
【図１】  本実施形態における梳き鋏を示す図である。
【図２】  本実施形態のカバー部材を示す図である。
【図３】  本実施形態のカバー部材が棒刃に取り付けられる態様例を示す図である。
【図４】  本実施形態における梳き鋏が閉じられた状態での棒刃と櫛刃を示す図である。
【図５】  本実施形態の変形例として湾曲した形状のカバー部材の一例を示す図である。
【発明を実施するための形態】
【０００９】  図１は、本実施形態の梳き鋏１を示している。なお、梳き鋏は、理美容の業界においては、一般にセニングともいわれる。
梳き鋏１は、棒刃２０を備える棒刃体２と、櫛刃３１を備える櫛刃体３とが枢着されている。棒刃体２と櫛刃体３との枢着にはネジ６が用いられる。
棒刃２０の刃端部２１においては刃元から刃先にかけて鋭利な刃が形成されている。
櫛刃体３においては、所定数の櫛刃３１が形成されている。互いに隣接する櫛刃３１と櫛刃３１の間には隙間部３２が形成される。
【００１０】  棒刃２０に対してはカバー部材４が取り付けられる。カバー部材４の材料には、例えば樹脂が用いられる。カバー部材４は、棒刃２０の刃表と峰２２を覆うように取り付けられる。
【００１１】  図２は、カバー部材４をそれぞれ異なる方向から見た斜視図である。図２（ａ）は、カバー部材４の表側を斜め上方向から見た図である。図２（ｂ）は、カバー部材４の裏側を刃先側より斜め上方向から見た図である。図２（ｃ）は、カバー部材４の裏側を刃元側より斜め上方向から見た図である。
カバー部材４は、上面部４１と側面部４２とが一体となるように形成されている。上面部４１は、棒刃２０の刃表の部分を覆う部位である。側面部４２は、棒刃２０の峰２２の部分を覆う部位である。
また、上面部４１においては、例えば２つのネジ貫通穴４３、４３が形成されている。ネジ貫通穴４３、４３は、カバー部材４を棒刃２０に固定するためのネジ５が貫通する穴である。
また、上面部４１において、棒刃２０の刃端部２１に沿うこととなる部位にはテーパー部４１ａが形成される。
【００１２】  図３は、図１におけるＡ−Ａ矢視またはＢ−Ｂ矢視の断面図である。図３（ａ）は、ネジ５を外した状態を示し、図３（ｂ）は、棒刃２０に対してカバー部材４がネジ５により固定された状態を示している。
図３（ａ）に示すように、カバー部材４は、棒刃２０の刃表に上面部４１の裏側が当接し、棒刃２０の峰２２に側面部４２の裏側が当接するように配置される。この状態において、棒刃２０に形成されたネジ受穴２３とカバー部材４のネジ貫通穴４３とが同じ位置となる。
図３（ａ）の状態において、棒刃２０の刃表側からネジ５をネジ貫通穴４３に貫通させてネジ受穴２３と螺合させる。これにより、図３（ｂ）に示すように、カバー部材４は、棒刃２０に対して固定されるように取り付けられる。図１の例の場合、このようにネジ止めされる位置は２つである。つまり、カバー部材４は、複数のネジ５により棒刃２０に固定されるように取り付けられる。
【００１３】  上記のようにカバー部材４が棒刃２０に取り付けられた状態においては、図３（ｂ）に示すように、カバー部材４におけるテーパー部４１ａの縁部（つまり、棒刃２０の刃端部２１に沿った縁部）においては、刃端部２１からはみ出した状態になる。カバー部材４において、刃端部２１からはみ出したテーパー部４１ａの縁部については、はみ出し部４１ｂと呼ぶ。
【００１４】  例えば髪を切るために髪を挟みながら梳き鋏１が閉じられていく過程では、刃元から刃先にかけて櫛刃３１の先端部と棒刃２０の刃端部２１とが閉じていくことで、棒刃２０の刃端部２１との間に挟まれた髪が切れていく。ここで、本実施形態の棒刃２０の刃端部２１は、一般の棒刃と同様に鋭利な刃が形成されていることから、髪が切れていく際の切れ味は良好である。
図４は、梳き鋏１が閉じられた状態における棒刃体２と櫛刃体３を示している。上記のように髪を切りながら梳き鋏１を閉じていった場合、梳き鋏１が完全に閉じられた状態では、櫛刃３１と棒刃２０とにより切られずに残った髪が、図４に示す櫛刃３１と櫛刃３１の間の隙間部３２において残る。
この状態から、例えば美容師は、隙間部３２に残った髪を抜くために閉じられたままの状態の梳き鋏１を引く。ここで、棒刃２０の刃端部２１に沿っては図４にも示すようにカバー部材４によるはみ出し部４１ｂがはみ出している。このために、梳き鋏１を引いていく際、隙間部３２に残った髪は、隙間部３２とはみ出し部４１ｂにより形成される穴を通ることになり、棒刃２０の刃端部２１に接触することはない。これにより、梳き鋏１を引いていく際に髪が刃端部２１に引っかかることはなくなり、スムーズに通り抜けていくことができる。
【００１５】  これにより、本実施形態の梳き鋏１は、棒刃に円味を与えなくとも、良好な切れ味が保たれ、かつ、髪が引っかかることがなくなる。これにより、梳き鋏１を使用する美容師にとっては高い操作性を感じることができる。また、髪が梳き鋏に引っかかった場合には、客は髪が引っ張られてしまうことで痛みを感じるのであるが、本実施形態では髪が引っ張られなくなるので痛みを感じることもなくなる。さらに、髪の毛が棒刃に引っかからないことで、髪を不用意に傷めることもなくなる。
【００１６】  そのうえで、本実施形態では、カバー部材４を取り付けるという簡単な構造によって髪が引っかからないようにしている。これにより、棒刃に円味を付けるという非常に高度な工程は必要なくなり、棒刃２０については、一般のものと同様に鋭利な刃を付けるように加工すればよい。これにより、製造時における刃付けやメンテナンスにおける研ぎの工程における手間が大幅に省かれる。
【００１７】  また、棒刃２０の刃端部２１の外側にカバー部材４のはみ出し部４１ｂがはみ出しているこことで、例えば棒刃２０の刃表側から刃端部２１が露出しなくなる。これにより、例えば美容師が梳き鋏１を使用して髪を切っているときに不注意で指を切るようなことが起こりにくくなり、安全性も高くなる。
【００１８】  また、カバー部材４は樹脂であるために、例えば多様な色のものを用意できる。これにより、カバー部材４を取り付けることによるデザイン性の向上も期待できる。そのうえで、カバー部材４は、例えばネジ５により取り付けられていることから、ユーザである美容師が取り外しを行って好みの色に変えることも簡単にできる。
【００１９】  また、変形例として、カバー部材４については、複数のネジ５によって棒刃２０に固定されずに取り付けられている状態において、ネジ５のネジ貫通穴４３の部分が棒刃２０の刃表から離れるように湾曲させた形状としてもよい。
図５は、変形例に対応したカバー部材４の上面部４１の形状を抜き出して、梳き鋏１とともに側面方向から見た図である。
図５に示すカバー部材４は、ネジ５によって棒刃２０に固定されていない状態である。この状態において、カバー部材４の上面部４１は、棒刃２０の刃先側と刃元側に対応する各端部は棒刃２０の刃表と接しているが、その内側のネジ貫通穴４３が形成されている辺りの部分は刃表から離れているように湾曲した形状である。
図５の状態からネジ５によりカバー部材４が固定された場合には、上面部４１が撓んでカバー部材４のネジ貫通穴４３が形成されている辺りの部分は棒刃２０の刃表に押し当てられる状態となる。これに伴って、例えば上面部４１の刃先側と刃元側は強めに棒刃２０の刃表に押し当てられる。これにより、例えば、上面部４１の刃渡りに沿った刃先側と刃元側の各端部が棒刃２０の刃表から浮いてしまうことがなくなる。
【００２０】  また、例えばネジ５に対応するネジ貫通穴４３と棒刃２０のネジ受穴２３の位置を変更することによっても、上面部４１の刃渡りに沿った端部が浮き上がらないようにすることが可能である。つまり、複数のネジ５に対応するネジ貫通穴４３とネジ受穴２３のうちで、棒刃２０の刃先側のネジ貫通穴４３とネジ受穴２３を刃先に近づけることによって、刃先側の上面部４１の端部が浮き上がりを抑えることができる。また、同様に、棒刃２０の刃元側のネジ貫通穴４３とネジ受穴２３を刃先に近づけることによって、刃元側の上面部４１の端部が浮き上がりを抑えることができる。
【００２１】  また、これまでの説明では、２本のネジ５を使用してカバー部材４を棒刃２０に固定しているが、カバー部材４を棒刃２０に固定するためのネジ５の数は３以上であってもよい。
また、カバー部材４については、例えば、側面部４２を省略して上面部４１のみによる形状としてもよい。
また、カバー部材４の材質は、例えば可撓性を有しコストも低く扱いやすいという点で樹脂が好適であるが、例えば金属などであってもよい。
【符号の説明】
【００２２】  １  梳き鋏、２  棒刃体、３  櫛刃体、４  カバー部材、５  ネジ、６  ネジ、２０  棒刃、３１  櫛刃
【図１】
2014217722.tif 000003
【図２】
2014217722.tif 000004
【図３】
2014217722.tif 000005
【図４】
2014217722.tif 000006
【図５】
2014217722.tif 000007